(57)【要約】【課題】            二台の遠心式で両吸込型の送風機を備えた送風装置について、送風機のメンテナンスのし易さを図りつつ、二台のファンケーシングにおける風量バランスを、簡単に均一化すること。【解決手段】        ダクトを接続する吸込口３と吐出口４を対向側に一つずつ備えた六面体の本体箱体２内に並列に二台の同じ遠心式の送風機５を組込み、ダクトを介して吸込口３から吸込んだ空気を吐出口４からダクトに吹出すようにした送風装置について、二台の送風機５を、それらのファンケーシング６におけるモータ側と反モータ側とに吸込口７，８を持つ両吸込型とし、いずれもモータ側の吸込口７を同じ方向にして、本体箱体２の一側に設けた点検口から点検できるように構成し、二台の送風機５の風量バランスを、それらの送風機５の吹出口の開口面積に差を持たせることによって調整する。【選択図】          図４
2008138555.tif 000002
【特許請求の範囲】
【請求項１】
ダクトを接続する吸込口と吐出口を対向側に一つずつ備えた略六面体の本体箱体内に並列に二台の同じ遠心式の送風機を組込み、ダクトを介して前記吸込口から吸込んだ空気を前記吐出口からダクトに吹出すようにした送風装置であって、前記二台の送風機を、それらのファンケーシングにおけるモータ側と反モータ側とに吸込口を持つ両吸込型とし、いずれもモータ側の前記吸込口を同じ方向にして、前記本体箱体の一側に設けた点検口から点検できるように構成し、前記二台の送風機の風量バランスを、それらの送風機の吹出口の開口面積に差を持たせることによって調整した送風装置。
【請求項２】
請求項１に記載の送風装置であって風量バランスを、二つのファンケーシングの吹出口に対応する位置に二つの開口面積の違う調整開口を持つ排気調整板で行うようにした送風装置。
【請求項３】
請求項１に記載の送風装置であって風量バランスを、二つのファンケーシングの吹出口に対応する位置に二つの開口面積の違う調整開口を持つ本体箱体の一部で行うようにした送風装置。
【請求項４】
請求項１に記載の送風装置であって風量バランスを、ファンケーシングの吹出口の開口面積を変える吹出口部材で行うようにした送風装置。
【発明の詳細な説明】
【技術分野】
【０００１】
本発明は、遠心式の両吸込型の二台の送風機を本体箱体に組込み、本体箱体の対向側に設けた吸込口から吸込んだ空気を吐出口から吹出すようにした送風装置に関するものである。
【背景技術】
【０００２】
建物の天井裏空間等に設置され、ダクトを介して室内の空気を吸込み、ダクトを介して排気する送風装置がある。この種の送風装置には、大風量の空気の搬送と、装置のコンパクト化（高さ寸法の縮減）を図り、吸込口と吐出口を対向側に一つずつ備えた六面体の本体箱体内に並列に二台の同じ遠心式の両吸込型の送風機を組込んだ、例えば、特許文献１に示されているようなものがある。
【０００３】
【特許文献１】特開２００５−２４８９３４号公報
【発明の開示】
【発明が解決しようとする課題】
【０００４】
特許文献１に示されたものは、二台の送風機を一台ずつ個別に一方向からメンテナンスできるように通風路を筐体に回転対称に構成し、二台の送風機も回転対称になるように組込んでいる。各送風機のモータ取付側は、いずれも筐体の一側面に臨み、筐体一側に設けた点検口からいずれの送風機も個別に分解組立てできるようになっている。こうした構成により、各送風機のメンテナンスはし易くなるものの、点検口側において二つの送風機が投影平面に重ならない構成のため、筐体の吸込口から吐出口にわたる全長寸法は長くなってしまう。また、両吸込型の送風機ではモータ側の吸込口と反モータ側の吸込口では、モータが風の流れを妨げるため風量のアンバランスが発生する。特に送風機を二台設けた大風量のものでは、モータが風路の妨げとなり二つのファンケーシングについて流れる風量バランスが崩れる。こうした風量のアンバランスによって振動が大きくなったり、振動音が大きくなるといった問題が生じるばかりでなく、モータ負荷もアンバランスになる。風量のアンバランスは、本体箱体の風路構造を変えることにより調整することができるが、部品点数の増加を伴ったり、本体の大型化を招いたりする。そして、モータ負荷のバランスが悪いと負荷の大きいモータ側で温度上昇するといった問題も起きる。
【０００５】
本発明は、上記した問題点を解決するためになされたものであり、その課題とするところは、二台の遠心式で両吸込型の送風機を備えた送風装置について、送風機のメンテナンスのし易さを図りつつ、二台のファンケーシングにおける風量バランスを、簡単に均一化することができるようにすることである。
【課題を解決するための手段】
【０００６】
上記課題を解決するために本発明は、ダクトを接続する吸込口と吐出口を対向側に一つずつ備えた略六面体の本体箱体内に並列に二台の同じ遠心式の送風機を組込み、ダクトを介して吸込口から吸込んだ空気を吐出口からダクトに吹出すようにした送風装置であって、二台の送風機を、それらのファンケーシングにおけるモータ側と反モータ側とに吸込口を持つ両吸込型とし、いずれもモータ側の吸込口を同じ方向にして、本体箱体の一側に設けた点検口から点検できるように構成し、二台の送風機の風量バランスを、それらの送風機の吹出口の開口面積に差を持たせることによって調整する手段を採用する。
【発明の効果】
【０００７】
本発明によれば、二台の送風機を一方向からメンテナンスすることができ、ファンケーシングの風量のアンバランスを風路構造の変更によらず、風量の多い側の吹出口の開口面積を縮小させるだけでバランスさせることができ、微調整も簡単である。
【発明を実施するための最良の形態】
【０００８】
本発明の送風装置は、建物の天井裏空間等に吊り設置され、ダクトを介して室内の空気を吸込み、ダクトを介して室外へ排気するものである。六面体に構成された本体箱体の対向側には、ダクト接続の可能な吸込口と吐出口が一つずつ設けられている。本体箱体内には並列に二台の同じ遠心式の送風機が組込まれ、ダクトを介して吸込口から吸込んだ空気を吐出口からダクト内に吹出すようになっている。二台の送風機は、それらのファンケーシングにおけるモータ側と反モータ側とに吸込口を持つ両吸込型であり、いずれもモータ側の吸込口を同じ方向（吸込口と吐出口を結ぶ線と直交する線上）にして、本体箱体の一側に設けたカバー付きの点検口から点検できるように構成されている。モータ側の吸込口は、モータが風路の妨げとなり二つのファンケーシングについて流れる風量バランスが崩れる。
【０００９】
基本的には、風量バランスを考慮しながら本体箱体の内部風路幅が検討されているがこれによって風量バランスがとれるわけではない。本発明では、排気調整板により二台の送風機の吹出口の開口面積に差を持たせている。具体的には、排気調整板には二つのファンケーシングの吹出口に対応する位置に二つの調整開口を持ち、風量の多い側の吹出口に対応する調整開口の開口面積を縮小させて風量バランスをとっている。調整開口の開口面積の縮小の割合は容易に実現でき、風量バランスを微調整することも可能である。即ち、風量のアンバランスによって振動が大きくなったり、振動音が大きくなるといった問題が解消できるばかりでなく、モータ負荷も均一になる。二台の送風機は、点検口の投影平面内に収まっているので、本体はコンパクトであり、二台の送風機のメンテナンスも一方向から実施でき、設置についての制約も少なくなる。
【００１０】
実施の形態１．
図１は、本実施の形態の送風装置の外殻の一部を除いて示す斜視図、図２は、送風装置の全体を示す斜視図、図３は、送風装置の側面図、図４は、送風装置の内部構造を示す平面構成図、図５は、排気調整板の平面図、図６は、ファンケーシングの拡大斜視図である。
【００１１】
本実施の形態の送風装置は、建物の天井裏空間等に吊金具１により吊り設置され、ダクトを介して室内の空気を吸込み、ダクトを介して室外へ排気する略六面体をした換気送風機である。略六面体に構成された本体箱体２の対向側には、ダクト接続口の設けられた吸込口３と吐出口４が一つずつ直線上に設けられている（図１，２，４参照）。本体箱体２内には並列に二台の同じ遠心式の送風機５が組込まれ、ダクトを介して吸込口３から吸込んだ空気を吐出口４からダクト内に吹出すようになっている。二台の送風機５は、それらのファンケーシング６におけるモータ側と反モータ側とに吸込口７，８を持つ両吸込型であり、いずれもモータ側の吸込口７を同じ方向（吸込口３と吐出口４を結ぶ線と直交する線上）にして、本体箱体２の一側に設けたカバー９付きの点検口１０から点検できるように構成されている（図１，２，５参照）。
【００１２】
本体箱体２内には、吸込口３から一台の送風機５の反モータ側の吸込口８に続く第１の風路１１と、吸込口３から二台の送風機５の間に連なり一台の送風機５のモータ側の吸込口７と他の一台の送風機５の反モータ側の吸込口８に分流する第２の風路１２と、吸込口３から他の一台の送風機５のモータ側の吸込口７に続く第３の風路１３が構成されている（図４参照）。風路はこれ以外に、羽根車１６から各ファンケーシング６の吹出口１７に続く第４と第５の風路１４，１５があり、第４と第５の風路１４，１５を通過した気流は、合流して吐出口４に排気される。モータ側の吸込口７は、モータ１８が風路の妨げとなり二つのファンケーシング６について流れる風量バランスが崩れる。第１の風路１１を流れる風量をＱ１、第２の風路１２を流れる風量をＱ２、第３の風路１３を流れる風量をＱ３、第４の風路１４を流れる風量をＱ４、第５の風路１５を流れる風量をＱ５とすると、次のような関係式が成り立つ。Ｑ１＞Ｑ２＞Ｑ３、Ｑ４＞Ｑ５（式１）、Ｑ１＋Ｑ２＋Ｑ３＝Ｑ４＋Ｑ５（式２）。
【００１３】
両吸込型の送風機５ではモータ側の吸込口７と反モータ側の吸込口８では、モータ１８が風の流れを妨げるため風量のアンバランスが発生する。特に送風機５を二台設けた大風量のものでは、モータ１８が風路の妨げとなり二つのファンケーシング６について流れる風量バランスが崩れる（式１）。基本的には、風量バランスを考慮しながら本体箱体２の内部風路幅が検討されているがこれによって風量バランスがとれるわけではない。本実施の形態では、図６に示す排気調整板１９により二台の送風機５の吹出口１７の開口面積に差を持たせＱ４＝Ｑ５としている。具体的には、排気調整板１９には二つのファンケーシング６の吹出口１７に対応する位置に二つの調整開口２０を持ち、風量の多い側の吹出口１７に対応する調整開口２０の開口面積を風量の多い分、縮小させて風量バランスをとっている。調整開口２０の開口面積の縮小の割合は容易に実現でき、風量バランスを微調整することも可能である。即ち、風量のアンバランス（Ｑ４＞Ｑ５）によって振動が大きくなったり、振動音が大きくなるといった問題が解消できるばかりでなく、モータ負荷も均一にでき、両定格（周波数）の送風装置となる。二台の送風機５は、点検口１０の投影平面内に収まっているので、本体はコンパクトであり、二台の送風機５のメンテナンスも一方向から分解組立てすることができ、設置についての制約も少なくなる。排気調整板１９を本体箱体２の側面構造自体で本体箱体２と一体に構成し、部品点数の削減を図っても同様の機能を奏することができる。
【００１４】
実施の形態２．
図７は、本実施の形態の送風装置のファンケーシングを示す拡大斜視図である。本実施の形態の送風装置は、実施の形態１で示したファンケーシングの吹出口に工夫を講じ、吹出口の開口面積を変えるようにしたものである。この構成に係る部分以外は、実施の形態１のものと同じである。従って、実施の形態１と同じ部分については、同じ符号を用い、それらについての説明は省略する。
【００１５】
本実施の形態の送風装置においては、二台の送風機５の風量バランスを、ファンケーシング６の吹出口１７の開口面積を変える吹出口部材２１で行うようにしている。吹出口部材２１は、風量の多い方の送風機５について、図７のように本体箱体２の内面に当接するファンケーシング６の吹出口１７の口縁に構成されるフランジ２２の一部又は全部を吹出口１７側に曲げるか、吹出口１７の一部に別部材の吹出口部材２１を取付けるかの方法を採ることができる。この吹出口部材２１によっても、実施の形態１と同様に二台の送風機５の風量バランスを均一にすることができる。これ以外の機能は、実施の形態１のものと同じである。
【図面の簡単な説明】
【００１６】
【図１】送風装置の外殻の一部を除いて示す斜視図である。（実施の形態１）
【図２】送風装置の全体を示す斜視図である。（実施の形態１）
【図３】送風装置の側面図である。（実施の形態１）
【図４】送風装置の内部構造を示す平面構成図である。（実施の形態１）
【図５】排気調整板の平面図である。（実施の形態１）
【図６】ファンケーシングの拡大斜視図である。（実施の形態１）
【図７】ファンケーシングの拡大斜視図である。（実施の形態２）
【符号の説明】
【００１７】
２  本体箱体、  ３  吸込口、  ４  吐出口、  ５  送風機、  ６  ファンケーシング、  ７  モータ側の吸込口、  ８  反モータ側の吸込口、  １０  点検口、  １７  吹出口、  １９  排気調整板、  ２１  吹出口部材。
【図１】
2008138555.tif 000003
【図２】
2008138555.tif 000004
【図３】
2008138555.tif 000005
【図４】
2008138555.tif 000006
【図５】
2008138555.tif 000007
【図６】
2008138555.tif 000008
【図７】
2008138555.tif 000009